(57)【要約】【課題】湛水の水田における堆肥撒布作業において、フロートに堆肥撒布装置、ロータリ及び堆肥搬送装置を装備し、圧縮梱包堆肥を効率的に地上の運搬車から圃場の堆肥撒布装置へ搬送した後、堆肥撒布と同時に水と土壌を撹拌し、空中において臭いの伝染を抑止する。【解決手段】フロート１、長さ９０ｃｍ、幅１８０ｃｍ及び厚さ１５ｃｍのもの２個を連結し、堆肥撒布装置、後部にロータリ８ａ、前中央にエンジン４を配備し、それぞれ動力の供給を受けて駆動する。また、圧縮梱包堆肥を搬送する為、本体側部に油圧アーム９ａと搬送台９ｂを設置し、人力で転がして搬送作業をする。堆肥撒布装置に配備される板コンベア５ｂに、破砕爪５ｃ付コの字型押し出し棒を備えて、硬い堆肥を砕いて押し出す構造である。また本体の移動に補助車輪１１ａを着脱して行う。【選択図】図３
2007209226.tif 000002
【特許請求の範囲】
【請求項１】
フロートに動力堆肥撒布装置を装備して、浮力走行に基づく堆肥撒布作業することを特徴とする水田フロート型動力堆肥撒布装置とその撒布方法。
【請求項２】
前記請求項１において、本体の移動手段として、シャシーに着脱自在の補助車輪を装備してあることを特徴とする水田フロート型動力堆肥撒布装置とその撒布方法。
【請求項３】
前記請求項１において、堆肥タンク床に堆肥破砕爪付コの字型押し出し棒を複数個備えた板コンベアと撒布量調整板を装備してあることを特徴とする水田フロート型動力堆肥撒布装置とその撒布方法。
【請求項４】
前記請求項１において、堆肥タンクの排出口直下に回転羽根を装備し、飛散防止カバーと一体構造であることを特徴とする水田フロート型動力堆肥撒布装置とその撒布方法。
【請求項５】
前記請求項１において、単体フロート複数個を連結して一体使用する場合、フロート接合面に密着パッキンを介して、圧着金具で固定することを特徴とする水田フロート型動力堆肥撒布装置とその撒布方法。
【請求項６】
前記請求項１において、撒布された堆肥、水及び土壌を同時に一括撹拌するロータリを備えてあることを特徴とする水田フロート型動力堆肥撒布装置とその撒布方法。
【請求項７】
前記請求項１において、シャシーに配備の機材がスライドする均衡機能を備えてあることを特徴とする水田フロート型動力堆肥撒布装置とその撒布方法。
【請求項８】
前記請求項１において、フロート上に乗用型の推進機能を備えてあることを特徴とする水田フロート型動力堆肥撒布装置とその撒布方法。
【請求項９】
前記請求項１において、機体に油圧式梱包堆肥搬送装置を備えてあることを特徴とする水田フロート型動力堆肥撒布装置とその撒布方法。
【請求項１０】
前記請求項９において、油圧式梱包堆肥搬送装置に用いられる堆肥は、立方体、または円柱状に加工されてビニールフィルムで被覆されたもので、一個の重量が概ね５０〜４００ｋｇであることを特徴とする水田フロート型動力堆肥撒布装置とその撒布方法。
【発明の詳細な説明】
【技術分野】
【０００１】
本発明は、水田フロート型動力堆肥撒布装置とその撒布方法に関するものである。
【背景技術】
【０００２】
堆肥撒布において、トラクタによるけん引型マニュアスプレッダ−、または自走式クローラ型マニュアスプレッダ−が、主に使用されていた。
【特許文献１】特開２００１−３２０９１１号公報
【発明の開示】
【発明が解決しようとする課題】
【０００３】
解決しようとする問題点は、湿田において、雪解け後の落水による乾田化に努めても天候に左右され、ホイル型トラクタ及びクローラ型による作業は、土壌を凹凸にして走行軌跡を解消することが難しいとする問題があった。それと、堆肥を飛散するビーダによって、空中に臭いが拡散される問題があった。また、堆肥の搬送作業においても手作業または、ユニック車に頼る手段で、合理性に欠くものであった。
【０００４】
本発明は、このような諸問題を解決しようとするものである。すなわち、作業走行においてフロートを活用し、堆肥の撒布と撹拌を同時にするものであり、また用いる堆肥は、圧縮梱包され、堆肥の搬送作業に高さ調整可能な搬送台を活用するものである。
【課題を解決するための手段】
【０００５】
請求項１記載の水田フロート型動力堆肥撒布装置とその撒布方法は、フロートに動力堆肥撒布装置を装備して、浮力走行に基づく堆肥撒布作業することを特徴とする。
【０００６】
上記によると、本体の発明品は、湛水の圃場にフロートを配備し、そのフロート上に堆肥撒布装置及び堆肥を積載し、動力によって堆肥撒布し、フロートの浮力作用によって人力で機体を押しながら浮力走行作業を行う。
【０００７】
請求項２記載の水田フロート型動力堆肥撒布装置とその撒布方法は、前記請求項１において、本体の移動手段として、シャシーに着脱自在の補助車輪を装備してあることを特徴とする。
【０００８】
上記によると、例えば、トラックから圃場へ、または圃場からトラックへ本体を搬出入する場合、シャシーに補助車輪を取付けるホルダーが４ケ所セットしてあって、搬出入の時に、それぞれ補助車輪の着脱をして本体の移動をする。
【０００９】
請求項３記載の水田フロート型動力堆肥撒布装置とその撒布方法は、前記請求項１において、堆肥タンク床に堆肥破砕爪付コの字型押し出し棒を複数個備えた板コンベアと撒布量調整板を装備してあることを特徴とする。
【００１０】
上記によると、堆肥タンクに積載される圧縮梱包堆肥を板コンベア上に一定間隔に破砕爪付コの字型押し出し棒が取付けられ、欠き取られた堆肥は、排出量調整板の上下操作によって撒布量の増減されて供給される。
【００１１】
請求項４記載の水田フロート型動力堆肥撒布装置とその撒布方法は、前記請求項１において、堆肥タンクの排出口直下に回転羽根を装備し、飛散防止カバーと一体構造であることを特徴とする。
【００１２】
上記によると、落下供給される堆肥を回転羽根が受けて、回転によってロータリへ拡散供給するもので、また飛散防止カバーは、堆肥タンク下部からロータリカバー区間を、回転羽根を一体に覆う形で形成されて堆肥供給の作用する。
【００１３】
請求項５記載の水田フロート型動力堆肥撒布装置とその撒布方法は、前記請求項１において、単体フロート複数個を連結して一体使用する場合、フロート接合面に密着パッキンを介して、圧着金具で固定することを特徴とする。
【００１４】
上記によると、複数個の単体フロートを連結する接合面に弾性パッキンを介して締付け金具で固定した状態でフロートの一体化を計って、機材及び堆肥を積載して浮力走行による作業をする。
【００１５】
請求項６記載の水田フロート型動力堆肥撒布装置とその撒布方法は、前記請求項１において、撒布された堆肥、水及び土壌を同時に一括撹拌するロータリを備えてあることを特徴とする。
【００１６】
上記によると、ロータリは、堆肥撒布装置の後部とフロートを結ぶ支持アーム、及び長さ調整アームによって支持され、飛散防止カバーを通じて供給されてくる堆肥を、エンジンから動力の伝達を受け、ロータの動作によって撹拌される。
【００１７】
請求項７記載の水田フロート型動力堆肥撒布装置とその撒布方法は、前記請求項１において、シャシーに配備の機材がスライドする均衡機能を備えてあることを特徴とする。
【００１８】
上記によると、フロート積載重量が減った時、または増加した時に、シャシーに取付けしてある機材を前後左右にスライドして均衡調整を計る作用である。
【００１９】
請求項８記載の水田フロート型動力堆肥撒布装置とその撒布方法は、前記請求項１において、フロート上に乗用型の推進機能を備えてあることを特徴とする。
【００２０】
上記によると、本体に推進装置を配備し、本体のエンジンから動力の伝動を受けて浮力走行し、また推進装置の一方の回転駆動を制御して方向転換を行うものである。
【００２１】
請求項９記載の水田フロート型動力堆肥撒布装置とその撒布方法は、前記請求項１において、機体に油圧式梱包堆肥搬送装置を備えてあることを特徴とする。
【００２２】
上記によると、堆肥撒布装置の側部に、油圧によって伸縮する支柱が配備され、搬送台、またはローラ付き搬送台と連結され、他方を地上の運搬車と連結するもので、搬送台を支持する油圧アームは、運搬車と堆肥タンク床の高さが等しくなるように油圧調整して固定される。梱包された堆肥は、搬送台を通じて地上の運搬車から堆肥タンクへ搬送されて納められる。
【００２３】
請求項１０記載の水田フロート型動力堆肥撒布装置とその撒布方法は、前記請求項９において、油圧式梱包堆肥搬送装置に用いられる堆肥は、立方体、または円柱状に加工されてビニールフイルムで被覆されたもので、一個の重量が概ね５０〜４００ｋｇであることを特徴とする。
【００２４】
上記によると、用いられる堆肥は、保管性と搬送性を高める為、圧縮加工されるもので、型くずれ、防水保管及び臭いの伝染を防止する為に、ビニールフイルムで梱包されるものである。次に、人力による扱い易い搬送手段に合わせた梱包容量とするそれぞれ５０〜４００ｋｇの単体である。
【発明の効果】
【００２５】
請求項１記載による発明によれば、圃場が軟弱地盤においても、凹凸に痛めることがない。また、機体の自重が土壌に影響しない為、耕土の硬化現象がなく、膨軟に保つことができる。
【００２６】
請求項２記載による発明によれば、地上と湛水圃場の移動が、補助車輪のセット動作のみで効率的に移動できる。
【００２７】
請求項３記載による発明によれば、通常に生産された堆肥及び圧縮加工された硬い高密度容量の堆肥を、撒布時に破砕爪によって砕き、解凍しながら施肥量を調整して撒布することができる。
【００２８】
請求項４記載による発明によれば、強制的に幅広く堆肥供給が可能になり、且つ作業者の身体と空中に発散する臭いの伝染を抑止できる。
【００２９】
請求項５記載による発明によれば、単体フロート複数個を連結して一体化することによって、大きな表面張力が働き、浮力値が増すことによって、水深の浅い所でも均衡のとれた浮力走行ができる。
【００３０】
請求項６記載による発明によれば、肥料の流失及び撒布ムラを防止、また臭いの伝染を防止できる。
【００３１】
請求項７記載による発明によれば、特に水深の浅い所でフロートの均衡を保つことが可能であり、フロートにいろいろな作業機を装備して有効な活用ができる。
【００３２】
請求項８記載による発明によれば、乗用機能を備えることによって歩行の必要性なくなる。
【００３３】
請求項９記載による発明によれば、人力で、地上の運搬車から圃場の堆肥撒布装置へ効率的に搬送作業ができる。
【００３４】
請求項１０記載による発明によれば、効率性の高い保管ができること。また臭いを遮断して保管と搬送ができ、且つ圧縮加工された単体とする堆肥において、搬送台を利用した場合の搬送の高率性が高い。
【発明を実施するための最良の形態】
【００３５】
以下、本発明に係る優れた水田フロート型動力堆肥撒布装置とその撒布方法の実施の形態を図１から図８を参照にして説明する。
【実施例１】
【００３６】
図１は、本発明装置の実施例の正面の説明図であって、図２は同じく平面の説明図、図３は同じく側面の説明図、図４はフロートの連結状態を示した説明図、図５は破砕爪を拡大して示した説明図、図６は堆肥搬送作業を示した説明図、図７は乗用型機能を示した説明図、図８は本体の移動に使用する補助車輪を示した説明図である。
【００３７】
本発明装置の構成を説明すると、例えば、フロート１、長さ９０ｃｍ、幅１８０ｃｍ及び厚さ１５ｃｍのもの２個を連結する為、接合面に密着パッキン３ｂ介して圧着金具３ａ及びシャシー２で一体固定する。図４は、２個の単体フロート１の連結を拡大して示している。シャシー２から４本の柱を立ち上げて、堆肥撒布装置を設置してある。
【００３８】
続いて、堆肥撒布装置及びロータリ８ａを駆動する為のエンジン４を進行方向対して、前中央のフロート上にシャシー２によって設置されてある。図３で示しているように、エンジン４から動力を伝達するシャフトは、伝動伸縮装置を備えフロート１の積載時の浮力均衡を保つ為に、矢印に示しているように前後スライドする均衡機能を有して固定される。他に、フロート１の均衡を保つ為に、補助用として、図示していない鋼製ウエイトを積載して均衡を保つこともできる。
【００３９】
エンジン４から供給される動力の伝達は、シャフトによって後部中継点のプーリに伝動され、更にそれぞれ、ハンドル近傍のクラッチレバーの操作によって、Ｖベルトを介して堆肥撒布装置、ロータリ５ａ及び図示していない油圧ポンプへ伝動されて駆動する構造である。
【００４０】
例えば、密度の高い圧縮加工された堆肥を用いる場合、堆肥撒布装置は、動力の伝達を受けて、板コンベア５ｂ及び回転羽根６を駆動するものである。図５で示している破砕爪５ｃは、板コンベア５ｂに具備されている破砕爪５ｃ付コの字型押し出し棒の移動によって、堆肥が削り取られ押し出されるもので、押し出し量は、調整板５ｄの上下動作によって増減され、排出口直下に備え付けられてある回転羽根６の回転によって、密閉形成されてある飛散防止カバー７を通じてロータリ８ａ内部へ供給撒布される。
【００４１】
本体後部に配備されるロータリ８ａは、それぞれの支持アームによって、フロート１及び堆肥タンク５ａの後部側板から連結支持されてある。また、アームは矢印で示しているように、深さ調整装置８ｂを備えてあり、圃場の水深、または堆肥積載量によるフロート１の喫水に応じて、ロータの撹拌とする目的深さに合わせて機能する構造である。
【００４２】
次に、図６に示している堆肥搬送作業において、本体に配備されてある油圧アーム９ａは、図示されてない油圧ポンプ、他に油圧操作レバー及び油圧パイプの構成によって、油圧供給を受けて上下可動するものである。堆肥が搬送し易い様に地上のトラック荷台床と堆肥タンク５ａ床の高さを合わせ、搬送台９ｂの設置と同時に、図示してない堆肥タンク５ａ側板を撤去した後、トラックに積んである円柱の圧縮梱包堆肥２００ｋｇを人力によって転がし、堆肥タンク５ａ手前まで導き、次に搬送台９ｂと堆肥タンク５ａ床の高さを油圧アーム９ａの動作によって降下して合わせた後、更に堆肥をタンクへ移動し、梱包されてあるビニールフイルムを取除いて納める。
【００４３】
更に２個目の堆肥を追加積載する場合、油圧アーム９ａを再び上昇させてトラック荷台床と堆肥タンク５ａ床の高さを合わせ、再び圧縮梱包堆肥２００ｋｇを前記上述の積載する手順を繰返した後、図示していない堆肥タンク５ａの側板を元に取付け、油圧アーム９ａと搬送台９ｂの連結を解除して積載作業完了である。他の手段による圧縮梱包堆肥の搬送方法として、ユニック車を用いて堆肥タンク５ａへ納めることもできる。また、この堆肥撒布装置は、加工されてない慣行堆肥を積載して撒布することもできる。
【実施例２】
【００４４】
本発明装置の実施例２の説明によると、図７は、乗用タイプの水田フロート型動力堆肥撒布装置の側面を示した説明図である。本発明装置は、前記実施例１の上述と乗用機能以外は概ね同じことから正面と平面の説明図を省略して説明する。本発明装置の構成を説明すると、本体前部に乗用機能を配備する構成で、エンジン４上部に運転台、その近傍の操縦装置１０ａに、制御クラッチ左右、推進クラッチ、堆肥クラッチ、ロータリクラッチ及びアクセルが配備されてあることを円内に拡大して示してある。またフロート１側部左右に回転駆動による推進装置１０ｂが配備されてあり、エンジン４から動力の伝達を受けて、推進装置１０ｂを駆動して浮力推進するものである。
【００４５】
運転方法は、本体を圃場に配置、堆肥を積載完了後、堆肥撒布量の調整板５ｄを目的量に調整する。続いてロータリ８ａを支持アームである深さ調整装置８ｂで目的の撹拌深さに合わせる。その後エンジン４始動の開始によって、操縦装置１０ａに配置されてあるアクセルを作業巡行馬力に合わせ、続いて堆肥クラッチ、ロータリクラッチ及び推進クラッチレバーを「入」「切」の操作によって浮力走行の作業が可動する。
【００４６】
また、作業走行は本体の水深に応じて、推進装置１０ｂの回転推進部を土壌と接触する適当の位置に推進高さ調整装置１０ｃで合わせて固定するものである。また方向転換は、推進装置１０ｂの制御クラッチの前後操作によって回転推進部の駆動が行われ、浮力走行する構造である。
【実施例３】
【００４７】
図８は主に、本体の地上と湛水圃場間の搬出入の時に用いる補助車輪１１ａを示しているもので、トラックから圃場へ搬入する場合、シャシー２の４箇所端部にホルダー１１ｂが備えてある所へ、補助車輪１１ａを装備した後、地上に降ろし人力で圃場まで移動し、本体が浮力した状態で、補助車輪１１ａを取外すものである。また地上、または他の圃場へ移動する場合は、前記上述の移動手段と逆で行う。
【産業上の利用可能性】
【００４８】
本発明装置は、施肥時期において、主に雪解け水を利用する時期と代掻き前後の時期があり、特に春の農繁期の始まる前の雪解け時期は、自然環境を有効に活用できる農閑期で、堆肥施用は比較的手間の掛かる作業であることから、農作業の時期的緩和策としての導入効果は有効で、その普及が期待されるところである。また水田フロート１は、多目的に応じて作業機を交換装備して、浮力走行による作業が可能である。
【図面の簡単な説明】
【００４９】
【図１】本発明装置の実施方法を示した正面の説明図である。
【図２】同、実施方法を示した平面の説明図である。
【図３】同、実施方法を示した側面の説明図である。
【図４】同、フロートの連結状態を示した説明図である。
【図５】同、破砕爪の一部分を拡大して示した説明図である。
【図６】同、堆肥搬送作業を示した説明図である。
【図７】同、乗用型機能を示した説明図である。
【図８】同、本体の移動に使用する補助車輪を示した説明図である。
【符号の説明】
【００５０】
１    フロート
２    シャシー
３ａ  圧着金具
３ｂ  密着パッキン
４    エンジン
５ａ  堆肥タンク
５ｂ  板コンベア
５ｃ  破砕爪
５ｄ  調整板
６    回転羽根
７    飛散カバー
８ａ  ロータリ
８ｂ  深さ調整装置
９ａ  油圧アーム
９ｂ  搬送台
１０ａ操縦装置
１０ｂ推進装置
１０ｃ推進高さ調整装置
１１ａ補助車輪
１１ｂホルダー
【図１】
2007209226.tif 000003
【図２】
2007209226.tif 000004
【図３】
2007209226.tif 000005
【図４】
2007209226.tif 000006
【図５】
2007209226.tif 000007
【図６】
2007209226.tif 000008
【図７】
2007209226.tif 000009
【図８】
2007209226.tif 000010